【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
発光部の照射角を変更可能なストロボ装置であって、
前記発光部の照射角を設定するストロボズーム手段と、
前記発光部の発熱に関する情報を検出する検出手段と、
前記発光部の発熱に関する情報が規定発熱領域に到達した場合、発光制限をかける発光制御手段と、を有し、
前記発光制御手段は、前記発光制限時には、前記照射角に応じて前記発光部の発光量の上限を設定するか、あるいは、前記発光量に応じて前記照射角の設定可能範囲を制限することを特徴とするストロボ装置。
【請求項２】
前記発光制限時には、前記発光部の発熱状態に応じて前記発光量の上限、あるいは、前記照射角の設定可能範囲を変化させることを特徴とする請求項１に記載のストロボ装置。
【請求項３】
前記発光制限時には、ユーザーが任意に前記発光量を決定できるマニュアル発光モードにすることを特徴とする請求項１または２に記載のストロボ装置。
【請求項４】
前記ストロボ装置は、撮像装置に着脱自在であって、
前記ストロボズーム手段は、前記照射角を装着された撮像装置の撮像レンズの焦点距離に応じた角度に設定することを特徴とする請求項１ないし３のいずれか１項に記載のストロボ装置。
【請求項５】
発光部の照射角を変更可能な撮像装置であって、
前記発光部の照射角を設定するストロボズーム手段と、
前記発光部の発熱に関する情報を検出する検出手段と、
前記発光部の発熱に関する情報が規定発熱領域に到達した場合、発光制限をかける発光制御手段と、を有し、
前記発光制御手段は、前記発光制限時には、前記照射角に応じて前記発光量の上限を設定するか、あるいは、前記発光量に応じて前記照射角の設定可能範囲を制限することを特徴とするストロボ装置。
【請求項６】
発光部の照射角を変更可能なストロボ装置と、当該ストロボ装置が装着された撮像装置と、を含むカメラシステムであって、
前記発光部の照射角を設定するストロボズーム手段と、
前記発光部の発熱に関する情報を検出する検出手段と、
前記発光部の発熱に関する情報が規定発熱領域に到達した場合、発光制限をかける発光制御手段と、を有し、
前記発光制御手段は、前記発光制限時には、前記照射角に応じて前記発光部の発光量の上限を設定するか、あるいは、前記発光量に応じて前記照射角の設定可能範囲を制限することを特徴とするカメラシステム。
【手続補正２】
【補正対象書類名】明細書
【補正対象項目名】発明の名称
【補正方法】変更
【補正の内容】
【発明の名称】ストロボ装置、撮像装置及びカメラシステム
【手続補正３】
【補正対象書類名】明細書
【補正対象項目名】０００５
【補正方法】変更
【補正の内容】
【０００５】
（発明の目的）
本発明の目的は、発熱による発光部へのダメージを抑制しつつ、シャッタチャンスを逃すことを回避することのできるストロボ装置、撮像装置及びカメラシステムを提供しようとするものである。
【手続補正４】
【補正対象書類名】明細書
【補正対象項目名】０００６
【補正方法】変更
【補正の内容】
【０００６】
上記目的を達成するために、本発明に係るストロボ装置は、発光部の照射角を変更可能なストロボ装置であって、前記発光部の照射角を設定するストロボズーム手段と、前記発光部の発熱に関する情報を検出する検出手段と、前記発光部の発熱に関する情報が規定発熱領域に到達した場合、発光制限をかける発光制御手段と、を有し、前記発光制御手段は、前記発光制限時には、前記照射角に応じて前記発光部の発光量の上限を設定するか、あるいは、前記発光量に応じて前記照射角の設定可能範囲を制限することを特徴とする。
【手続補正５】
【補正対象書類名】明細書
【補正対象項目名】０００７
【補正方法】変更
【補正の内容】
【０００７】
また、上記目的を達成するために、本発明に係る撮像装置は、発光部の照射角を変更可能な撮像装置であって、前記発光部の照射角を設定するストロボズーム手段と、前記発光部の発熱に関する情報を検出する検出手段と、前記発光部の発熱に関する情報が規定発熱領域に到達した場合、発光制限をかける発光制御手段と、を有し、前記発光制御手段は、前記発光制限時には、前記照射角に応じて前記発光量の上限を設定するか、あるいは、前記発光量に応じて前記照射角の設定可能範囲を制限することを特徴とする。
また、上記目的を達成するために、本発明に係るカメラシステムは、発光部の照射角を変更可能なストロボ装置と、当該ストロボ装置が装着された撮像装置と、を含むカメラシステムであって、前記発光部の照射角を設定するストロボズーム手段と、前記発光部の発熱に関する情報を検出する検出手段と、前記発光部の発熱に関する情報が規定発熱領域に到達した場合、発光制限をかける発光制御手段と、を有し、前記発光制御手段は、前記発光制限時には、前記照射角に応じて前記発光部の発光量の上限を設定するか、あるいは、前記発光量に応じて前記照射角の設定可能範囲を制限することを特徴とする。
【手続補正６】
【補正対象書類名】明細書
【補正対象項目名】０００８
【補正方法】変更
【補正の内容】
【０００８】
本発明によれば、発熱による発光部へのダメージを抑制しつつ、シャッタチャンスを逃すことを回避することができる。
【手続補正７】
【補正対象書類名】明細書
【補正対象項目名】００３２
【補正方法】変更
【補正の内容】
【００３２】
次に、データセレクタ２１１のＹ０，Ｙ１端子に「１，０」を出力し、データセレクタ２１１に入力端子としてＤ２端子を選択させる。このとき、キセノン管２１６は未だ発光していないので、第２の受光素子２１７の光電流は殆んど流れていないため、コンパレータ２１２の反転入力端子に入力される測光回路２１４の出力は発生しない。一方、コンパレータ２１２の出力はＨｉ（ハイレベル）であるので、発光制御回路２１０は導通状態となる。
【手続補正８】
【補正対象書類名】明細書
【補正対象項目名】００４９
【補正方法】変更
【補正の内容】
【００４９】
上記ステップＳ１０２にて、照射角が３５ｍｍでフル発光量の１／２でストロボ発光を行った後、ステップＳ１０３，Ｓ１０４で発光部２２１の発熱が規定温度Ｔ１よりも高くなったことが検知された場合を例にあげて説明する。次のステップＳ１０５では、発光モードが強制的にマニュアル発光に変更され、発光量の上限がフル発光量の１／３２に設定される。前のステップＳ１０２で発光量がフル発光量の１／２に設定されていた。そのため、ここでは強制的に発光量がフル発光量の１／３２に設定され、この発光量以下であれば、ユーザーが自由に発光量を選択することを許可する。本実施例では、照射角を基準として発光量の上限を変動させたが、発光量を基準として照射角の設定可能範囲を変動させる方式でも構わない。また、図５は発光部２２１（フレネルレンズ）に対して近い照射角を２４ｍｍとしたが、光学系によっては、発光部２２１に近い照射角は１０５ｍｍとなることもある。
【手続補正９】
【補正対象書類名】明細書
【補正対象項目名】００５７
【補正方法】変更
【補正の内容】
【００５７】
詳しくは、上記発光制御手段は、発光制限時には、照射角に応じて発光量の上限を設定するか、あるいは、発光量に応じて前記照射角の設定可能範囲を制限するようにしている。
【手続補正１０】
【補正対象書類名】明細書
【補正対象項目名】００５８
【補正方法】変更
【補正の内容】
【００５８】
また、発光制限時には、発光部２２１の発熱状態に応じて発光量の上限、あるいは、照射角の設定可能範囲を変化させる（図４参照）ようにしている。